Podtech/llm-jp-corpus-v4-ja_patent huggingface dataset:
(57)【要約】      （修正有）【課題】自分で希望番号を選べる宝くじを購入する際に、当選予測番号を決めなければならない、その時に本発明の中空箱を任意に振り番号を表示してもらう宝くじの当選番号予測選定具を提供する。【解決手段】中空箱の枠内に、必要に応じて仕切り板を設け、上面には透明な上板に番号を配置記載し、番号の下になる底面部分にそれぞれ凹み部を設け、番号と底面の色は同色とし、中空箱の枠内に番号がはっきり見える番号の色とは違う異色の玉を、番号を選ぶのに必要な数だけ入れることを特徴とする宝くじの当選番号予測選定具。【選択図】図１
2010129074.tif 000002
【特許請求の範囲】
【請求項１】
中空箱の枠内に、必要に応じて仕切り板を設け、上面には透明な上板に番号を配置記載し、番号の下になる底面部分にそれぞれ凹み部を設け、番号と底面の色は同色とし、中空箱の枠内に、番号の色とは違う異色の玉を番号を選ぶのに必要な数だけいれることを特徴とする宝くじの当選番号予測選定具。
【発明の詳細な説明】
【技術分野】
【０００１】  本発明は、番号別に凹み部を設けられた枠内で、玉を移動させ玉が凹み部にはまって止まったところの上部にある番号を読み取ることにより、当選番号を予測する宝くじの当選番号予測選定具に関するものである．
【背景技術】
【０００２】  従来は、自分で希望番号を選べる宝くじ（現在一般には、ナンバーズスリー、ナンバーズ゛フォー、ミニロト、ロトシックスが普及している）において、宝くじの当選番号の予測は、コンピューターによる方法があった。又、別の方法は、自分で適当に番号を考えて選んでいた。
【発明の開示】
【発明が解決しようとする課題】
【０００３】  そのために、次のような問題点があった。
（イ）コンピューターによる番号選定では、せっかく自分が選べるのに他人まかせで自分が選んだという気持ちがなく物足りなかった。
（ロ）又、何の根拠もなく適当に番号を選ぶのも迷い悩むし、なかなか、わくわくする気持ちになれず、面白くなかった。
本発明は、以上の問題点を解決するためになされたものである。
【課題を解決するための手段】
【０００４】  中空箱の枠内に必要に応じて仕切り板を設け、上面には透明な上板を設け、その上板にはその宝くじに必要な番号を配置記載し、番号の下になる底面部分にそれぞれ凹み部を設け、番号と底面の色は同色とし、中空箱の枠内には、番号がはっきり見える番号の色とは違う異色の玉を番号を選ぶのに必要な数だけ入れる。以上を特徴とする宝くじの当選番号予測選定具。
【発明の効果】
【０００５】  本発明品を振ることにより、色付きの玉が移動し思いもよらない場所（凹み部）で止まり、玉の上の番号がはっきりと表示され、ゲーム感覚で当選番号を予測でき、わくわくし、面白く楽しみながら番号を決めることができる。
【発明を実施するための最良の形態】
【０００６】  以下、本発明の実施の形態について説明する。
（イ）中空箱（１）の枠内に必要に応じて仕切り板（２）を設ける。
（ロ）中空箱（１）の上面には、透明な上板（３）を設ける。
（ハ）上板（３）には、その宝くじに必要な番号（４）を配置記載する。
（ニ）番号（４）の下になる底面（５）部分にそれぞれ凹み部（６）を設ける。
（ホ）番号（４）と底面（５）の色は同色とする。
（ヘ）中空箱（１）の枠内には、番号がはっきり見える番号の色とは違う異色の玉（７）を、番号を選ぶのに必要な数だけ入れる。
本発明は以上のような構造で、一般に出ているナンバーズ゛スリーでは、中空箱（１）の枠内に仕切り板（２）を二個設け、３箇所の枠内に分け、その枠内には、１個ずつ計３個の玉（７）を入れる。
ナンバーズ゛フォーでは、仕切り板（２）を３個設け、４個所の枠内に分け、その枠内には、１個ずつ計４個の玉（７）を入れる。ミニロトとロトシックスでは、仕切り板（２）を設けず、ミニロトは５個の玉（７）が入れてあり、ロトシックスでは、６個の玉（７）が入れてある。
これを使用するときは、中空箱（１）を平らな所に置き、手で左右前後適当に動かし止める、すると玉（７）が移動し凹み部（６）にはまり止まる、すると玉（７）が止まった上の番号（４）は玉（７）の色とは違う異色なので番号（４）がはっきり見える、玉（７）が止まっていない部分の番号（４）は底面（５）の色と同色なので見えにくく、玉（７）が止まった部分の番号だけがはっきり見える事となる、そのはっきり見えた番号（４）が当選番号予想の番号となる。
【図面の簡単な説明】
【０００７】
【図１】  数字３個を選ぶ本発明の斜視図
【図２】  数字３個を選ぶ本発明の一部を切り欠いた上板のみを示す平面図
【図３】  数字３個を選ぶ本発明の断面を示す立面図
【図４】  数字５個を選ぶ本発明の斜視図
【図５】  数字５個を選ぶ本発明の一部を切り欠いた上板のみを示す平面図
【図６】  数字５個を選ぶ本発明の断面を示す立面図
【符号の説明】
【０００８】  １  中空箱
２  仕切り板
３  上板
４  番号（図面上では任意に１個の数字だけを示している）
５  底面
６  凹み部
７  玉
【図１】
2010129074.tif 000003
【図２】
2010129074.tif 000004
【図３】
2010129074.tif 000005
【図４】
2010129074.tif 000006
【図５】
2010129074.tif 000007
【図６】
2010129074.tif 000008
(57)【要約】【課題】  本発明は同じ長さのＬＥＤ照明灯はもちろんのこと、長さの異なるＬＥＤ照明灯を連接でき、同時に通電も実現でき、必要な照度と設置場所の自由度を高めるＬＥＤ照明灯のコネクタを提供するものである。【解決手段】  通電により夫々発光する複数個のＬＥＤ素子を備えたＬＥＤ照明灯の電極ピンを延出した口金に嵌め込まれる一方の鍔部と、該一方の鍔部より内側の平坦部に前記電極ピンを挿入する一方のソケットと、前記一方の鍔部の反対側に形成した他方の鍔部と、該他方の鍔部より内側の平坦部に電極ピンを挿入する他方のソケットと、前記一方及び他方のソケットを電気的に導通構造にして構成したコネクタ本体とからなり、該コネクタ本体を利用して複数のＬＥＤ照明灯を電気的に接続できるようにしたことを特徴とするＬＥＤ照明灯のコネクタ。【選択図】図２
2010129325.tif 000002
【特許請求の範囲】
【請求項１】
通電により夫々発光する複数個のＬＥＤ素子を備えたＬＥＤ照明灯の電極ピンを延出した口金に嵌め込まれる一方の鍔部と、該一方の鍔部より内側の平坦部に前記電極ピンを挿入する一方のソケットと、前記一方の鍔部の反対側に形成した他方の鍔部と、該他方の鍔部より内側の平坦部に電極ピンを挿入する他方のソケットと、前記一方及び他方のソケットを電気的に導通構造にして構成したコネクタ本体とからなり、該コネクタ本体を利用して複数のＬＥＤ照明灯を電気的に接続できるようにしたことを特徴とするＬＥＤ照明灯のコネクタ。
【発明の詳細な説明】
【技術分野】
【０００１】
本発明は、長尺な蛍光灯型と同様なＬＥＤ照明灯を必要に応じて同じ長さのものを繋げたり長さの違うものを繋げたりする場合に便利なＬＥＤ照明灯のコネクタに関するものである。
【背景技術】
【０００２】
従来、長尺なＬＥＤ照明灯は１本使う場合が多いいが、必要に応じて複数本を並べて繋げる必要が生じることがある、その場合、複数本を繋げる部品がなかった。従って、複数本繋げずに別々にコネクタを配置してこれに取り付けているのが現状で不便であった。
【０００３】
図１は一般的なＬＥＤ照明灯の口金１付近を示したもので、ＬＥＤ照明灯２の口金１の端面には電極ピン３が表れていて、図示しないコネクタに電気的に導通させて照明を得るものであるが、必要に応じて複数本を繋げようとした場合、電極ピン３同志が突き合わされ、この構造であると繋ぐことができない。従って必要な照度の照明が得られないばかりか、設置場所も限定されているものである。
【０００４】
特許文献１は長尺なＬＥＤ照明灯を提案しているが、コネクタによって複数本のＬＥＤ照明灯を繋げる技術の開示は無く、必要に応じて繋げる要望を満たし得ないものである。複数の長さの異なるＬＥＤ照明灯を選んで繋げることができるとともに、照明の調節ができるばかりか、ＬＥＤ照明灯の設置場所も自由度が広がり便利である。
【０００５】
【特許文献１】特開２００２−１４１５５５号公報
【発明の開示】
【発明が解決しようとする課題】
【０００６】
本発明が解決しようとする課題は、同じ長さのＬＥＤ照明灯はもちろんのこと、長さの異なるＬＥＤ照明灯を連接でき、同時に通電も実現でき、必要な照度と設置場所の自由度を高めるＬＥＤ照明灯のコネクタを提供するものである。
【課題を解決するための手段】
【０００７】
本発明の課題を解決する手段は通電により夫々発光する複数個のＬＥＤ素子を備えたＬＥＤ照明灯の電極ピンを延出した口金に嵌め込まれる一方の鍔部と、該一方の鍔部より内側の平坦部に前記電極ピンを挿入する一方のソケットと、前記一方の鍔部の反対側に形成した他方の鍔部と、該他方の鍔部より内側の平坦部に電極ピンを挿入する他方のソケットと、前記一方及び他方のソケットを電気的に導通構造にして構成したコネクタ本体とからなり、該コネクタ本体を利用して複数のＬＥＤ照明灯を電気的に接続できるようにしたことを特徴とするＬＥＤ照明灯のコネクタ。
【発明の効果】
【０００８】
本発明によれば長さの異なるＬＥＤ照明灯を必要に応じて複数本繋げることができ、したがって必要な照度を確保でき、また設置場所も自由に選択できる等大変便利である効果がある。
【発明を実施するための最良の形態】
【０００９】
本発明は、コネクタ本体のＬＥＤ照明灯を嵌合する鍔部を深くすることで二本のＬＥＤ照明灯の結合が強化されるもので必要に応じて製造をすれば良い、また構造が簡単で安価に製造できる。
【００１０】
以下に、本発明の実施例に係るＬＥＤ照明灯について図２及び図３を参照して詳細に説明する。図３は図２の矢印方向から見た図面である。
【００１１】
１０はコネクタ本体でＬＥＤ照明灯の外観に合致するように円柱状で構成される。前記コネクタ本体１０の両端は鍔状の一方の鍔部１１が形成してあって、その底部には一方のソケット１２が形成されている。この場合、一方の鍔部１１はＬＥＤ照明灯の口金箇所が嵌合される。従って嵌合が十分にできるように一方の鍔部１１の寸法を選定してある。
【００１２】
前記コネクタ本体１０の一方のソケット１２の反対側には他方のソケット１３が他方の鍔部１４に連なる底部に形成してある。この場合一方のソケット１２及び他方のソケット１３はそれぞれ２本用意されていて、一方のソケット１２と他方のソケット１３とはコネクタ本体１０内で電気的に導通している。
【００１３】
他方の鍔部１３も一方の鍔部１１と同様にＬＥＤ照明灯の口金に嵌合できるように寸法を調整している。従って、コネクタ本体１０の左右端では鍔部１１、１４及びソケット１２、１３は同形状で構成されている。
【００１４】
次に二本のＬＥＤ照明灯を繋げる場合、一方のＬＥＤ照明灯の口金をコネクタ本体１０の一方の鍔部１１に強く嵌合する。この場合電極ピンと一方のソケット１２とは位置合わせを行い、電極ピンが一方のソケット１２に挿入できるように予め寸法調整をしておくものである。
【００１５】
他方のソケット１３に他のＬＥＤ照明灯を嵌め合わせる場合、ＬＥＤ照明灯の電極ピンを他方のソケット１３に挿入し同時に他方の鍔部１４にＬＥＤ照明灯の口金を嵌合すれば二本のＬＥＤ照明灯はコネクタ本体１０で接続でき照度の調節、設置場所の選定が自由にできるものである。勿論長さの違うＬＥＤ照明灯でも同様である。
【産業上の利用可能性】
【００１６】
本発明のコネクタは長が同じものに限らず異なるＬＥＤ照明灯でも複数本繋げることができ産業上、歓迎されるものである。
【図面の簡単な説明】
【００１７】
【図１】ＬＥＤ照明灯の口金付近の構造図。
【図２】発明の実施例を説明するためのコネクタ本体の斜視図である。
【図３】図２の矢視方向の図である。
【符号の説明】
【００１８】
１    口金
２    ＬＥＤ照明灯
３    電極ピン
１０  コネクタ本体
１１  一方の鍔部
１２  一方のソケット
１３  他方のソケット
１４  他方の鍔部
【図１】
2010129325.tif 000003
【図２】
2010129325.tif 000004
【図３】
2010129325.tif 000005
(57)【要約】      （修正有）【課題】メッキ適用時に起こるピンホールの問題を解決したアルミ基材及びアルミ合金基材からなるセパレーターを提供し、コスト面、放熱性に勝る小型軽量平板方式固体電解質型燃料電池を提供する。【解決手段】アルミ及びアルミ合金にＴｉなどの電気導電性であり、且つ、耐蝕性である金属を溶射又はメッキする。その後、表面の平滑度と均一度を向上させるために研摩し、耐蝕性を向上させるために陽極酸化処理を為す。その後、電気絶縁性の陽極酸化膜に、ＡｇやＡｕなどの高電気導電性の金属を二次電解加工により陽極酸化膜と溶射層の数ミクロンのスポンジ状の間隙にイオン含浸させ、Ｔｉなどの電気導電性であり、且つ、耐蝕性である金属の溶射層と相まって数ミリΩ以下の表面抵抗値ないし断面抵抗値の電気導電性を確保する。【選択図】なし【特許請求の範囲】
【請求項１】
セルを挟むセパレーターがアルミ金属及びアルミを含有する合金であり、その表面に電気導電性であり、且つ、耐蝕性能の高い金属をメッキ又は溶射した後に研摩とアルミ金属及びアルミを含有する合金陽極酸化処理と二次電解処理が為されて製造されていることを特徴とするセパレーター。
【発明の詳細な説明】
【技術分野】
【０００１】  本発明は、小型軽量であり、且つ、低コストである、平板方式固体電解質型燃料電池のセパレーター製造法に関するものである。
【背景技術】
【０００２】  平板方式固体電解質型燃料電池の本体部分は固体電解質の膜を挾んでその一方の面に空気極、他の一方の面には燃料極が積層され、空気極側に空気を、燃料極側に水素を含む燃料ガスを供給して発電するよう構成されている。そして、空気極，固体電解質，燃料極からなるセルと、各セルを挟んで燃料ガスや空気を遮断する役割を果たす板状の通気溝を備える部品がセパレーターである。【０００３】  セパレーターは、各セルをシールする機能の他に、燃料ガスや空気を送り込む機能を担う。他に、電気導電性、耐蝕性、放熱性などを要求され材料特性面では調整の難しい部品である。【０００４】  セパレーターの製法は、初期のプロトタイプで使われていた「手作り品」と、実用化・量産化を目指す「成形品」とに大別されるが、コストの面から「成形品」が主流を成す。「成形品」は、材料面でカーボン系と金属系の二つに分けられるが、カーボン系は、その厚さが必要であり、幾層にも積層される為に燃料電池そのものの小型化が達成できないと同時に放熱性にも問題がある。また、金属は、アルミがメッキ技術を使用するためにピンホールから局部腐食を起こす問題が解決されていないのでステンレス鋼が主流となっている。しかし、ステンレス鋼は比重が重く、燃料電池全体の重量が重くなり、その性能に比べてその重量が過大なエネルギー消費の元凶となっている。
【発明の開示】
【発明が解決しようとする課題】
【０００５】  セパレーターの製法として、コスト面に優れる「成形品」の中で、軽量、小型化、放熱性が見込めるアルミ及びアルミ合金を使用し、メッキ技術より起こるピンホール、即ち、耐蝕性に劣る部分を解決する。
【課題を解決するための手段】
【０００６】  アルミ金属及びアルミ合金に耐蝕性と電気導電性を同時に叶える為にＴｉなどの電気導電性であり、且つ、耐蝕性である金属を溶射又はメッキする。その後、表面の平滑度を向上させるために研摩する。その厚さは反応ガスを流す溝が必要なために数ミリとする。【０００７】  溶射層には、数ミクロンのスポンジ状の間隙が存在しメッキ層にはピンホールが存在するため耐蝕性をまかなうことができないので、基材のアルミ金属及びアルミ合金に陽極酸化処理を為す。すると、メッキのピンホールや溶射層の数ミクロンの間隙を介し基材アルミ金属及びアルミ合金に陽極酸化膜が生成し、メッキのピンホールや溶射層の数ミクロンのスポンジ状の間隙を埋めて耐蝕性を向上させる。その後、電気絶縁性の陽極酸化膜にＡｇやＡｕなどの耐蝕性、高電気導電性の金属を二次電解加工により陽極酸化膜と溶射層の数ミクロンのスポンジ状の間隙にイオン含浸させ、Ｔｉなどの電気導電性であり、且つ、耐蝕性である金属の溶射層と相まって数ミリΩ以下の表面抵抗値ないし断面抵抗値の電気導電性を確保する。
【発明の効果】
【０００８】  本発明によると、平板方式固体電解質型燃料電池の構成材であるセパレーターとして耐蝕性に優れ、且つ、高い電気導電性（低い電気抵抗値）を有し、燃料電池本体の性能に対してのコスト軽減、軽量小型化を実現し、省エネルギー、地球環境破壊改善に大きく貢献する。
(57)【要約】      （修正有）【課題】柱状のガラス管などの透明な保護管内に密封されたＬＥＤを使用したＬＥＤ照明灯においてレンズと保護管を一体化することで、より小さくかつ、低価格なＬＥＤ照明灯を提供する。【解決手段】押し出し材から作られる透明な中空部に設けた柱状の保護管の１部をレンズ状にすることで、保護管とレンズが一体となった、ＬＥＤ照明灯を製作する。【選択図】図１
2010129537.tif 000002
【特許請求の範囲】
【請求項１】
押し出し材から作られる、透明な円柱状のＬＥＤを保護する保護管（４）が押し出し時にレンズ（５）と一体化して製作されることを特徴とするＬＥＤ照明灯。
【請求項２】
押し出し材から作られる、透明なＬＥＤを保護する保護カバーが押し出し時にレンズ（５）と一体化して製作されることを特徴とするＬＥＤ照明灯。
【発明の詳細な説明】
【技術分野】
【０００１】本発明は、ＬＥＤ照明灯の構造に利用される。
【技術背景】
【０００２】ＬＥＤ照明に使われる、ＬＥＤは、指向が強いため、レンズ状のアクリルなどにてカバーすることにより発生する光を拡散又は収束している。円柱状のアクリル等の保護管（ＬＥＤ保護カバー）にＬＥＤを閉じ込めて照明灯を製作する場合、ＬＥＤ照明灯を小さくしようとすると、レンズに使用するアクリルの体積のため困難な場合があった。
【発明の開示】
【発明が解決しようとする課題】
【０００３】本発明は、柱状のガラス管などの透明管内に密封されたＬＥＤを使用したＬＥＤ照明灯において、レンズと保護管を一体化することでより小さくかつ低価格なＬＥＤ照明を提供するものである。
【課題を解決するための手段】
【０００４】本発明は、アクリルなどのプラスチック押し出し材から作られる透明な中空部に設けた柱状の保護管の１部レンズ状にすることで、保護管とレンズが一体となった、ＬＥＤ照明灯を製作する。
【発明の効果】
【０００５】保護管とレンズが一体化することにより、ＬＥＤ照明灯をより  小さくかつ低価格で提供できる。
【発明を実施するための最良の形態】
【０００６】以下、本発明の実施の形態を図を使用して説明する。【０００７】図１の図（１ａ）は、従来の円柱状のアクリル管を使用したＬＥＤ照明灯の断面図である。
ＬＥＤを実装する、アルミニュームなどにより作られる取付台（２）にＬＥＤを実装させ、その上にＬＥＤからの光を一定の方向に拡散させるレンズ（３）を取り付け、それ全体をアクリル管（１）の中に閉じ込めた構成になっている。
図（２ａ）は、本発明による、押し出し材からなるアクリル管（４）である、前記アクリル管（４）の一部がレンズ状（５）になっているので、従来のように、アクリル管内にレンズを取り付ける必要は無くなる。
図２の（１ｂ）は、本発明のアクリル管（４）を使用した、ＬＥＤ照明灯の組み立て斜視図である、エンド板（６）とＬＥＤ取付台（７）とＬＥＤ取付台（７）からの熱を放熱するヒートシンク（８）から構成され、それらがタッピングねじＴＰ１及びＴＰ２にて締結され組み立てられる。
（２ｂ）は、組み立て後の正面図である。
【図面の簡単な説明】
【０００８】
【図１】（１ａ）従来のアクリル管を使用したＬＥＤ照明灯断面図  （２ａ）本発明によるアクリル管を使用したＬＥＤ照明灯断面図
【図２】（１ｂ）本発明によるアクリル管を使用したＬＥＤ照明灯組み立て斜視図  （２ｂ）本発明によるアクリル管を使用したＬＥＤ照明灯正面図
【符号の説明】
【０００９】１．従来のアクリル管
２．取付台
３．レンズ
４．本発明によるアクリル管
５．本発明によるアクリル管レンズ部
６．エンド板
７．ＬＥＤ取付台
８．ヒートシンク
ＴＰ１．タッピングねじ
ＴＰ２．タッピングねじ
【図１】
2010129537.tif 000003
【図２】
2010129537.tif 000004
(57)【要約】      （修正有）【課題】ダンボールやボール紙で作成された箱体を主に屋内で使用する表示板として提供する。【解決手段】ダンボールやボール紙で作成された箱体を工場、店舗、住居などの主に屋内で使用する表示板として提供するために、紙製の箱体の平面に文字・図形を打ち抜いて、打ち抜いた文字・図形により表示板としての機能を持たせる。「禁煙」の文字及び「禁煙マーク」の図形は打ち抜きで破線部分は折り返し線である。平面に「禁煙」の文字及び「禁煙マーク」の図形が打ち抜きされているが、箱体の外面を白色、底面の内面を色を変えれば、打ち抜きされた「禁煙」の文字及び「禁煙マーク」の図形は、みやすくなる。取り付け方法は、壁に貼付したり、ワイヤーなどで天井から吊す。本実施例では、立方体が用いられているが、面取りなどを施すなどの種々の改良変形が可能である。【選択図】図１
2010224508.tif 000002
【特許請求の範囲】
【請求項１】
ダンボールやボール紙などの紙製の箱体の平面に文字や図形を打ち抜いたことを特徴とする表示板。
【発明の詳細な説明】
【発明の詳細な説明】
【技術分野】
【０００１】  本願発明は、工場、店舗、住居などの主に屋内で使用する表示板に関するものである。
【背景技術】
【０００２】  従来、ダンボールやボール紙を用いた箱体は、箱体の中に各種製品が収納され、包装用に使用されていた。【０００３】  こうした包装用の紙製箱体には、内容物が視認できるように平面が打ち抜きになっているものもあった。たとえばブドウなどの果物の包装容器として紙製箱体が用いられる場合などである。こうしたブドウなどの果物の包装容器として紙製箱体が用いられる場合、その打ち抜き部分は、内容物の形態などを図形化したりするなど、包装容器としての側面のみならず、内容物の表示機能も併せ持っていた。【０００４】
【特許文献１】  上述のように包装容器であるダンボールやボール紙を用いた箱体の平面にブドウなどの内容物を図形化したものを打ち抜き的に施したものが意匠登録のＤターム：Ｆ４７１０Ｄ＝「包装容器窓部有り」として挙げられている。
【０００５】  ただし、本願の先行記述となるような文字や簡単な図形等が打ち抜きされているものが、登録されている例は過去二十年の登録を調べたが意匠登録においても見当たらなかった。
【発明の開示】
【発明が解決しようとする課題】
【０００５】  本願発明は、ダンボールやボール紙で作成された箱体を工場、店舗、住居などの主に屋内で使用する表示板として使用するものである。
【課題を解決するための手段】
【０００６】  本願発明は上記課題を解決するため、ダンボールやボール紙で作成された箱体の平面に文字や図形を打ち抜きにし、表示板としての機能を持たせる。
【発明の効果】
【０００６】  本願発明は上記課題を解決できるほか、ダンボールやボール紙で製造できることから、軽量化でき、一般のダンボール箱やボール箱と同様に大量に製造した場合、安価に製造できる。
【実施例】
【０００７】  以下、本願発明の実施例を図面を参照しながら説明する。【０００８】  図１は、本願発明の実施例の展開図であり、「禁煙」の文字及び「禁煙マーク」の図形は、打ち抜き。破線部分は、折り返し線である。【０００９】  本実施例では、平面に「禁煙」の文字及び「禁煙マーク」の図形が打ち抜きされているが、たとえば、本実施例の箱体の外面を白色、底面の内面を色を変えれば、打ち抜きされた「禁煙」の文字及び「禁煙マーク」の図形は、みやすくなる。【００１０】  つぎに本実施例の取り付け方法であるが、壁に貼付したり、ワイヤーなどで天井から吊るしたりすることによる。【００１１】  本実施例では、立方体が用いられているが、面取りなどを施すなどの本願発明の趣旨を逸脱しない範囲内で種々の改良変形が可能である。
【図面の簡単な説明】
【図１】  図１は、本願発明の一実施例の展開図であり、「禁煙」の文字及び「禁煙マーク」の図形は、打ち抜き。破線部分は、折り返し線である。
【図１】
2010224508.tif 000003
(57)【要約】【課題】外観に優れ、屋内・屋外の火災に強い難燃性の材料と、軽量で、廃材を利用した、リサイクル性に優れ、画鋲の打ち込み回数が同一場所に集中しても抜け落ちない不燃掲示板を提供する。【解決手段】、火災で燃えない、有毒ガスの出ない不燃掲示板で、掲示物を止める時に画鋲で押されても受けとめる反力のある板材で構成し、その芯材のアルミ・ステンレス板又は鉄板と同寸法の異機質お炭酸カルシュウムを完全独立の発砲体で吸引、吸湿や高温での溶解、亀裂もほとんどない主材ロックセルボードを接着剤で貼り、更にその上にガラスウールを貼り付けた掲示板であり、又、画鋲の打ち込み回数が同一場所に集中しても抜け落ちる事が無い不燃性の掲示板。【選択図】図１
2010224505.tif 000002
【特許請求の範囲】
【請求項１】
掲示板の芯材にアルミ・ステンレス又は鉄板等の材質の金属板に同寸法のロックセールボードを加圧しながら接着剤で貼付け、該その上にガラスウールを加圧しながら接着剤で貼り付けた不燃掲示板。
【請求項２】
掲示板の材料にリサイクルできる燃えない再生材を使用した請求項１記載の不燃掲示板。
【発明の詳細な説明】
【技術分野】
【０００１】  本発明は、駅、学校、工場の屋内又は野外、公園、街路沿い等の野外に設置される燃えない掲示板に関する。
【背景技術】
【０００２】  従来より、ポスター類、文書、宣伝チラシ等が駅、工場、学校、公共建築物などの屋内、公園、街路沿いなどの野外に設置される掲示板が多数ある。掲示板の多くは２本の支柱を間隔を開けて立てた中間に掲示板を取付け、ネジ止めして接合している。
その多くの掲示板の材質は木材・合板・パネル・ポリエチレン・ビニール等可燃物で火災により燃えるものばかりで、近年日本国内で頻発している地震や火災、豪雨等で物事を早く広くその地域の人達に知らせる為の掲示板が燃えない、有毒ガスの出ない掲示板を、又、学校、役所、図書館、等の公共の建物や，駅構内等の多くの人が利用する建物のなかに可燃性の掲示板が多く見られるため、これを早急に不燃性の物に作りかえる必要がある。又，近年電子掲示板シテム等の特許も多数出願されている。
【特許文献１】特開２００４−２４０３２７号公報。
【発明の開示】
【発明が解決しようとする課題】
【０００３】  それには次のような問題点があった。
上述のように多くの掲示板の材質は木材・合板・パネル・ポリエチレン・ビニール等可燃物で火災により燃えるものばかりで、近年日本国内で頻発している地震や火災、豪雨等で物事を早く広くその地域の人達に知らせる為の掲示板は燃えない、有毒ガスの出ない掲示板を必要であり、又木材・合板を伐採する事は自然環境に良くなく、可燃性の樹脂製品も原油の高騰等、将来は期待できないため使用を削減しなければならないのが現状であり問題が多い。そのために全ての廃材を有効利用して燃えない材料で製作した掲示板を提供することを目的とする。
【課題を解決するための手段】
【０００４】  本発明は、上記従来技術の欠点を解消する事の出来る、火災で燃えない、有毒ガスの出ない掲示板を提供する事目的とし、その構成は、その掲示板は掲示物を止める時に画鋲で押されても受けとめる反力のある板材で構成し、その芯材のアルミ・ステンレス板又は鉄板と同寸法の異機質お炭酸カルシュウムを完全独立の発砲体で吸引、吸湿や高温での溶解、亀裂もほとんどない主材ロックセルボードを接着剤で貼り、更にその上にガラスウールを貼り付けて完成する。又防災の強化と画鋲の打ち込み回数が同一場所に集中しても抜け落ちる事が無い。
【発明の効果】
【０００５】  上述したように本発明の不燃掲示板は、火災に強い掲示板で有り、炎火で掲示品の印刷物が燃え落ちてもガラスウールの面または、芯材であるアルミ板の面に水性ペンで書けばホワイトボードの代用ができ、又有毒ガス出ない効果が期待できる。
【発明を実施するための最良の形態】
【０００６】  以下、本発明の実施の形態を説明する。
本発明は、掲示物を止める時に画鋲で押されても受けとめる反力のある板材で構成し、その芯材のアルミ・ステンレス板又は鉄板１と同寸法の異機質の炭酸カルシュウムを完全独立の発砲体で吸引、吸湿や高温での溶解、亀裂もほとんどない主材ロックセルボード２を接着剤で加圧して貼り付ける、更にその上にガラスウール３を接着剤で圧を加えながら貼り付けて完成する。又防災の強化と画鋲の打ち込み回数が同一場所に集中しても抜け落ちる事が無い。
本発明は、以上の構成よりなっている。
【図面の簡単な説明】
【０００７】
【図１】  本発明の不燃掲示板の斜視図。
【図２】  本発明の不燃掲示板の断面図。
【符号の説明】
【０００８】    １  不燃掲示板本体
２  アルミ・ステンレス・鉄板
３  ロックセルボード
４  グラスウール
５  接着剤
６  接着剤
７  広告
【図１】
2010224505.tif 000003
【図２】
2010224505.tif 000004
(57)【要約】      （修正有）【課題】撮影者がカメラを手に取ったまま自らを撮影する場合、カメラの位置を腕の長さより遠い距離に設置して撮影できるよう、自分撮影用の器具を提供する。【解決手段】伸縮する棒状の取っ手（１）の先端にカメラを内向き（撮影者側）に固定する器具（２）とシャッター押下装置（３）を設け、取っ手（１）にシャッター押下ボタン（４）を設けた。【選択図】図１
2010224506.tif 000002
【特許請求の範囲】
【請求項１】
伸縮する棒状の取っ手（１）の先端にカメラを内向き（撮影者側）に固定する器具（２）とシャッター押下装置（３）を設け、取っ手（１）にシャッター押下ボタン（４）を設けたことを特徴としたカメラの自分撮影用の器具。
【発明の詳細な説明】
【技術分野】
【０００１】    本発明は、撮影者がカメラを手に取ったまま自らを撮影する場合、カメラの位置を腕の長さより遠い距離に設置して撮影できる、自分撮影用の器具に関するものである。
【背景技術】
【０００２】    従来、撮影者がカメラを手に取ったまま自らを撮影する場合、カメラの位置を腕の長さより遠い距離に設置して撮影できなかった。
【発明の開示】
【発明が解決しようとする課題】
【０００３】  そのために、次のような問題点があった。
撮影者がカメラを手に取ったまま自らを撮影する場合、腕の長さより遠い距離にカメラを設置して撮影できないため、接写となりカメラフレームに撮影者自らが収まりきらないことが多かった。本発明は以上の問題点を解決しようとするものである。
【課題を解決するための手段】
【０００４】  伸縮する棒状の取っ手（１）の先端にカメラを内向き（撮影者側）に固定する器具（２）とシャッター押下装置（３）を設け、取っ手（１）にシャッター押下ボタン（４）を設ける。
以上のように構成されたカメラの自分撮影用の器具である。
【発明の効果】
【０００５】  本発明を使用することで、撮影者がカメラで自らを撮影する場合、カメラを手放すことなく腕の長さより遠い距離にカメラを設置して撮影できるため、接写にならずカメラフレームに撮影者自らを収めることができる。また、カメラを遠方に放置したり他人に渡して撮影依頼したりすることがなくなるため、カメラを盗難される恐れも少なくなる。
【発明を実施するための最良の形態】
【０００６】  以下、本発明の実施の形態を説明する。
伸縮する棒状の取っ手（１）の先端にカメラを内向き（撮影者側）に固定する器具（２）とシャッター押下装置（３）を設け、取っ手（１）にシャッター押下ボタン（４）を設ける。
本発明は、以上の構成よりなっている。
本発明を使用するときは、棒状の取っ手の先端にある器具に、カメラを内向き（撮影者側）に固定し、伸縮可能な取っ手を伸ばして、取っ手にあるシャッター押下ボタンを押す。それによってシャッター押下装置が作動し、自らを撮影できる。
【図面の簡単な説明】
【０００７】
【図１】  本発明のコンパクトカメラ用の斜視図である。
【図２】  本発明の携帯カメラ用の斜視図である。
【符号の説明】
【０００８】  １  取っ手
２  カメラ固定器具
３  シャッター押下装置
４  シャッター押下ボタン
【図１】
2010224506.tif 000003
【図２】
2010224506.tif 000004
(57)【要約】【課題】  製品布設箇所の、折れ点の製品を切断加工するのに、簡単に墨出し出来るように、水糸の交差部分や、折れ点と同じ角度の壁等に、折れ点用定規を合わせるだけで、製品の切断寸法がわかる。又、角度数が分かっていれば、折れ点用定規の目盛盤の角度を合わせれば、製品の切断寸法がわかる折れ点用定規を提供する。【解決手段】  板（１）に、読み取り用ライン（４）（５）を印刷し、又、透明な板（２）（３）に、切断寸法や角度数を表示した（６）を印刷し、透明な板（２）（３）に、板（１）を挟み込み、ネジ（７）ナット（８）で、板（１）と、透明な板（２）（３）が、可動する程度に締め付け、間板（９）で、透明な板（２）（３）を接着剤等で固定した、折れ点用定規を特徴とする。【選択図】図１
2010248876.tif 000002
【特許請求の範囲】
【請求項１】
板（１）に、読み取り用ライン（４）（５）を印刷し、又、透明な板（２）（３）に、切断寸法や角度数を表示した（６）を印刷し、透明な板（２）（３）に、板（１）を挟み込み、ネジ（７）ナット（８）で、板（１）と、透明な板（２）（３）が、可動する程度に締め付け、間板（９）で、透明な板（２）（３）を接着剤等で固定する。
以上の構成よりなる折れ点用定規。
【発明の詳細な説明】
【技術分野】
【０００１】  この発明は、側溝、ブロック等、製品布設箇所の、折れ点の切断寸法を測る、折れ点用定規に関するものである。
【背景技術】
【０００２】  従来、製品切断加工時、折れ点の切断寸法を測る器機は無く、折れ点の切断寸法を測るのに、大変な手間と時間がかかり、又、測り間違えなどが多かった。
【発明の開示】
【発明が解決しょうとする課題】
【０００３】  これは、次のような欠点があった。
従来、製品施工箇所の、折れ点の製品を切断加工するのに、折れ点付近まで製品を布設し、製品と同じ幅で、水糸を上流側、下流側、全４箇所に張り、折れ点付近まで布設した製品から、水糸の交差点までの距離を測って、切断する製品に墨付けをしていたので、手間と時間がかかり、又、折れ点付近まで布設した製品が無いと、切断寸法が分かりづらいため、折れ点から製品を布設するのが難しかった。本発明は、以上の問題をなくすためになされたものである。
【課題を解決するための手段】
【０００４】  板（１）に、読み取り用ライン（４）（５）を印刷し、又、透明な板（２）（３）に、切断寸法や角度数を表示した目盛盤（６）を印刷し、透明な板（２）（３）に、板（１）を挟み込み、ネジ（７）ナット（８）で、板（１）と、透明な板（２）（３）が、可動する程度に締め付け、間板（９）で、透明な板（２）（３）を接着剤等で固定する。
本発明は、以上の構成よりなる折れ点用定規である。
【発明の効果】
【０００５】  製品を布設時、布設用に張る水糸の交差部分、又は、折れ点と同じ角度の壁等に、この、折れ点用定規を可動させて合わせ、目盛盤の読み取りラインが示す数字を読み取ることで、製品の切断寸法がわかり。又、角度数が分かっていれば、折れ点用定規の目盛盤の角度を読み取りラインに合わせれば、製品の切断寸法がわかる。又、目盛盤の寸法表示を変えれば、その他の応用が大である。
【発明を実施するための最良の形態】
【０００６】  以下、本発明を実施するための最良の形態について説明する。
板、（１）縦、約３０ｃｍ、横（２）（３）と同じ幅で約１０ｃｍに、読み取り用ライン（４）（５）を印刷し、又、透明な板、（２）（３）縦、約３０ｃｍ、横（１）と同じ幅で約１０ｃｍに、切断寸法や角度数を表示した目盛盤（６）を印刷し、透明な板（２）（３）に、板（１）を挟み込み、ネジ（７）ナット（８）で、板（１）と、透明な板（２）（３）が、可動する程度に締め付け、間板（９）で、透明な板（３）（４）を接着剤等で固定する。又、切断寸法や角度数を表示した目盛盤（６）を、板（１）に、読み取り用ライン（４）（５）の印刷を、透明な板（２）（３）に印刷してもよい。
これを使用するときは、布設箇所の水糸の折れ点、又は、布設箇所横の折れ点と同じ角度の壁に、折れ点用定規を可動させ合わせ、目盛盤の読み取りラインが示す数字を読み取ることで、切断したい寸法がわかる。
「他の組み合わせとして、板（１）縦、約３０ｃｍ、横（２）と同じ幅で約１０ｃｍに、読み取り用ライン（４）（５）を印刷し、又、透明な板（２）縦、約３０ｃｍ、横（１）と同じ幅で約１０ｃｍに、切断寸法や角度数を表示した目盛盤（６）を印刷し、透明な板（２）の下に、板（１）を重ね、ネジ（７）ナット（８）を、板（１）と、透明な板（２）が、可動する程度に締め付ける。又、切断寸法や角度数を表示した目盛盤（６）を、板（１）に、読み取り用ライン（４）（５）の印刷を、透明な板（２）に印刷してもよい。」
【図面の簡単な説明】
【０００７】
【図１】  本発明の斜視図である。
【図２】  本発明の分解斜視図である。
【図３】  本発明の側溝施工図
【図４】  本発明の側溝墨出し図
【符号の説明】
【０００８】    １  板
２  透明な板
３  透明な板
４  読み取り用ライン
５  読み取り用ライン
６  切断寸法や角度数を表示した目盛盤
７  ネジ
８  ナット
９  間板
１０  折れ点用定規
１１  水糸
１２  折れ点と同じ角度の壁
１３  スケール
１４  切断する墨だしライン
【図１】
2010248876.tif 000003
【図２】
2010248876.tif 000004
【図３】
2010248876.tif 000005
【図４】
2010248876.tif 000006
(57)【要約】【課題】畑等に水道の設備が無いと、自宅から容器に入れて水を持参するか、畑の中に甕を埋めて雨水を溜めてそれを使用するのだが、甕の中にボーフラが湧いて近所の方に迷惑掛けたり、蓋をすると雨水が集められない為、幼児が誤ってその中に落ちてと困っていた。本発明は雨水を効率良く集め蓄え使用出来する為の農業用雨水集水具を提供する。【解決手段】地中に集水タンクを設置し、その取水口と一体と成るよう集水桝を取り付け、それには数個の半円型の型抜きされた面が有り、現場の状況，集水量に応じて１個の集水桝当たりの半円筒部材の数や長さを選ぶ事が出来る、半円筒部材を動きにくくするための固定部材、また集水タンクの周辺に土留め板を設置、雨水集水効率アップの為不透水材質品を、筒に巻き付けた物を２個準備、一方は半円筒部材の上に重ね、もう一方は畑側に広げそれを、固定部材で固め降雨量の少ない季節にも対応出来るようにする。【選択図】図１
2010248875.tif 000002
【特許請求の範囲】
【請求項１】
地中に集水タンクを設置し、その口と一体と成るよう集水桝を取り付け、それには数個の半円型の型抜きされた穴が有り、半円筒部材は集水桝に差し込んで有り、半円筒部材を固定するための部材、集水タンクの周囲に土留め板を設置、雨水集水効率アップの為不透水材質品を筒に巻きつけたのを両端に設置、一方を半円筒部材の上に重ね、他方を畑側に広げ固定部材で固めた、農業用雨水集水具。
【発明の詳細な説明】
【技術分野】
【０００１】本発明は水のない畑等で、雨水を集め，蓄える農業用雨水集水具に関するものである。
【背景技術】
【０００２】従来畑で苗を植えたり、種を蒔いたりした時は水をかけるが、近くに水が無い時自宅から容器に入れて持参したり、畑に穴を掘って甕を埋め、溜まった雨水を使用していた。
【発明の概要】
【発明か解決しようとする課題】
【０００３】日照りが続き植物に水を与えようとしても、畑に水道は普通無く、自宅から容器に入れて持参するか、地中に埋めた甕に溜まった雨水を与えていたが、甕の中にボーフラが湧いて近所の方に迷惑かけたり、蓋をすると雨水が集められない為幼児が誤ってその中に落ちたりと困っていた、本発明は以上の問題を解決する為になされたものである。
【課題を解決しようとする為の手段】
【０００４】畑を掘って集水タンクを地中に埋めその口に集水桝を取り付け、その集水桝に半円筒部材を貫通させ、その部材を固定用部材を使って固める、地中集水タンクを土留め板で囲み、半円筒部材沿いに集水補助器も取り付け出来る構成よりなる農業用雨水集水具。
【発明の効果】
【０００５】構造が簡単な為、年配の方や女性でも組み立てが出来、耕作面積に合わせて必要数の集水タンクを増やすことが出来、畑の端に沿って設置する為耕作面積を減らすことなく、点在する事で散水移動距離を短く出来、水の確保が楽になり、蚊に刺される事無く水遣りが出来る。
【図面の簡単な説明】
【０００６】
【図１】本発明の斜視図
【図２】本発明の使用状況を示す斜視図
【発明を実施するための形態】
【０００７】（イ）地中に埋めた集水タンク（１）上部にネジ切込み付の呑口２個有り、出し入れ出来るよう周囲に土留め板（２）を設置する。
（ロ）集水桝（３）の下部にもネジが切って有る落とし口（４）を使い，集水タンク（１）呑口と接続する、集水桝（３）は４角形で上部は開放、４面には既に半円型が切り取されていで、そこに半円筒部材（５）を差込む。
（ハ）半円筒部材を数個の支持固定部材（６）押さえ固定部材（７）で固める。集水補助器（８）は押さえ固定部材（６）同士の間に少口径管（９）を配置し，それにビニールが巻き付けられていて、半円筒方向に対し直角方向に広げ、もう一方の小口径管（９）にも巻き付けられ、小口径管固定部材（１０）を使って固定する。
本発明は以上のような構造である。
本発明を使用するときは  雨水が半円筒部材（５）で集められ、集水タンク（１）に溜まったら、半円筒部材（５）を集水タンク（１）側とは逆の方向にずらし、集水桝（３）を回して集水タンク（３）と切り離し，取手を持って地面に引き上げる。タンク呑み口からジョーロに移し水遣りを行う。
集水桝は最大４方向からの雨水を集めることが出来、現場の状況で半円筒部（５）の本数と長さを選ぶことが出来る  。集水補助器（８）は真夏、降雨量の少ない時に集水面積を増やすため取り付ける物で、２本の少口径管（９）にビニールを巻き付け、内１本は半円筒部材（５）の押さえ固定部材（６）間に設置、もう一方は半円筒部材（５）に集水した雨水が流れ込むよう小口径管固定部材（１０）を使って、小口径管の空洞部に部材を差し込み他の一方は地面に差し込み，弛まないよう高さを決める。
【符号の説明】
【０００８】（１）集水タンク（２）土留め板（３）集水桝（４）落とし口（５）半円筒部材（６）押さえ固定部材（７）支持固定部材（８）集水補助器（９）小口径管（１０）小口径管固定部材
【図１】
2010248875.tif 000003
【図２】
2010248875.tif 000004
(57)【要約】【課題】  強風や狭い駐車場で車の横開きドアは、横へぶつけやすく乗り降りするのに不便であった。また、子供がドアを開け、ぶつける心配があった。  ドアを開けたときドアが固定される、角度調整機能付きヒンジを提供する【解決手段】  ピラー側ヒンジに何種類かの角度止め又は穴などを自由に角度を設定できるように角度調整機能を取り付けたピラー側角度調整ヒンジ  ドア側ヒンジに角度調整ストッパー等を取り付けたドア側角度調整ヒンジ  ピラー側角度調整ヒンジにドア側角度調整ヒンジがかみ合い固定する  ドアを開けるときに横の車との幅を合わせた角度を設定しドアを開ければ、ピラー側角度調整ヒンジにドア側角度調整ヒンジがかみ合いドアが固定されドアをぶつける心配がなくなる【選択図】図１
2010248872.tif 000002
【特許請求の範囲】
【請求項１】
角度調整機能付きヒンジにおいて、ピラー側ヒンジに角度調整機能ができるように、何種類かの角度止め又は、穴など取り付け自由に角度を設定する事を特徴とする、ピラー側角度調整機能付きヒンジ
【請求項２】
角度調整機能付きヒンジにおいて、ドア側ヒンジに角度調整ストッパー等を取り付けたドア側角度調整ヒンジが、ピラー側角度調整機能付きヒンジの角度設定した所へ、かみ合い固定されることを特徴とする、ドア側角度調整機能付きヒンジ
【請求項３】
ピラー側角度調整機能付きヒンジに、ドア側角度調整機能付きヒンジがかみ合い、ドアが固定されることを特徴とする、角度調整機能付きドア
【発明の詳細な説明】
【技術分野】
【０００１】      この発明は車のドアを開く角度を自由に設定し、ドアを横へぶつけるのを防ぐ、角度調整機能付きヒンジに関するものである。
【背景技術】
【０００２】      従来の車の横開きドアは乗り降り又は荷物を乗せやすいように開くことが中心だった。
【発明の開示】
【発明が解決しようとする課題】
【０００３】      従来の車の横開きドアは強風や狭い駐車場でドアを横へぶつけやすく、車の乗り降りするのに不便であった。また、子供がドアを開けぶつける心配があった。
本発明は以上のような欠点をなくすためになされたものである。
【課題が解決するための手段】
【０００４】  上記目的を達成するためピラー側ヒンジに何種類かの角度止め又は穴等を自由に動き設定できるように取り付けた、ピラー側角度調整ヒンジ
ドア側ヒンジに角度調整するストッパー等を取り付けたドア側角度調整ヒンジ
ピラー側角度調整ヒンジにドア側角度調整ヒンジがかみ合い固定する
ドアを開けるとき横の車との幅に合わせた角度を設定しドアを開ければ、ピラー側角度調整ヒンジにドア側角度調整ヒンジがかみ合いドアが固定される
本発明は以上の構造によりなる角度調整機能付きヒンジである
【発明の効果】
【０００５】  ピラー側角度調整ヒンジにドア側角度調整ヒンジがかみ合いドアが固定する
ドアの開く角度が設定できるので強風や狭い駐車場でドアの角度を設定して開ければドアが固定して横へぶつけない
【発明を実施するための最良の形態】
【０００６】  ピラー側ヒンジとドア側ヒンジがかみ合いドアを固定させるには、ピラー側ヒンジに角度調整できるように何種類かの角度止め又は穴等自由に動き設定できるように取り付けたピラー側角度調整ヒンジ
ドア側ヒンジに角度調整ストッパー等を取り付けたドア側角度調整ヒンジ
ピラー側角度調整ヒンジにドア側角度調整ヒンジがかみ合う事でドアが固定され、横へぶつけるのを防ぐ。又、角度調整ストッパーなどはドアなどに直接付けても良い
これを使用する時は車から降りる前に横の車との幅に合わせて角度設定してからドアを開ければドアが固定され横へぶつけない
図以外にも、ピラー側ヒンジ、ドア側ヒンジ、角度調整、角度調整ストッパー等の形、又は取り付け方は他にも考えられる。
【図面の簡単な説明】
【０００７】
【図１】  本発明のピラー側角度調整ヒンジ
【図２】  本発明のドア側角度調整ヒンジ
【符号の説明】
【０００８】  １  ピラー側ヒンジ
２  角度調整
３  ドア側ヒンジ
４  角度調整ストッパー
【図１】
2010248872.tif 000003
【図２】
2010248872.tif 000004
(57)【要約】【課題】本発明は、堤防の嵩上げ時期を予測し、危険水位に達する前に堤防の嵩上げをする堤防の決壊防止方法の提案にある。【解決手段】本発明は、堤防の裏側に設けた地下水位測定装置の測定結果が危険水位近づいたとき、堤防上に不透水性の堤防面覆い部を固定し河川側の堤防部分の正常水位まで堤防面を覆い、当該堤防面覆い部は堤防面上に突出する部分と河川側の堤防面を覆う部分と堤防面覆い部の堤防面側に備え付けた吸水性ポリマーを入れた袋とからなり、堤防内部への水の浸透を防止すると同時に堤防の嵩上げを図る堤防の嵩上げ時期を予測し、危険水位に達する前に堤防の嵩上げをする堤防の決壊防止方法である。【選択図】図１
2010248827.tif 000002
【特許請求の範囲】
【請求項１】
堤防の裏側に設けた地下水位測定装置の測定結果が危険水位近づいたとき、堤防上に不透水性の堤防面覆い部を固定し河川側の堤防部分の正常水位まで堤防面を覆い、当該堤防面覆い部は堤防面上に突出する部分と河川側の堤防面を覆う部分と堤防面覆い部の堤防面側に備え付けた吸水性ポリマーを入れた袋とからなり、堤防内部への水の浸透を防止すると同時に堤防の嵩上げを図る堤防の嵩上げ時期を予測し、危険水位に達する前に堤防の嵩上げをする堤防の決壊防止方法。
【発明の詳細な説明】
【技術分野】
【０００１】
本発明は、洪水時における堤防の嵩上げ技術に属する。
【背景技術】
【０００２】
水害時などに河川、湖沼などの氾濫を防ぐために麻袋等の丈夫な袋に土砂等の充填物を入れた土嚢を積み上げ堤防を嵩上げして決壊を防止することが古来より行われている。特開2002-69964、特開2001-81752には吸水性の高分子を充填した袋を用意し、吸水することでその体積重量を増大し土嚢として利用する提案がなされている。また特開2006-283505、特開2002-30669には上下に開口する枠体を多数前後左右に配列し内部に土嚢もしくは土壌を充填して堤防の嵩上げに使用する方法が提案されている。
いずれの方法も土壌の存在を必要とし、都市化の進んだ地域では決壊のおそれのある緊急時に必要な量の土壌を入手することは不可能となった。
そのため、土壌の入手困難な場所においても堤防の嵩上げが可能な方法として本発明者らは特願2008-281272にてブロックを堤防上に積み上げる方法を提案した。堤防の嵩上げ時期を事前に予測し、危険水位に達する前に堤防を嵩上げする方法が要求されている。
【先行技術文献】
【特許文献】
【０００３】
【特許文献１】特開2002-69964
【特許文献２】特開2001-81752
【特許文献３】特開2006-283505
【特許文献４】特開2002-30669
【特許文献５】特願2008-281272
【発明の開示】
【発明が解決しようとする課題】
【０００４】
本発明は、堤防の嵩上げ時期を予測し、危険水位に達する前に堤防の嵩上げをする堤防の決壊防止方法の提案にある。
【課題を解決するための手段】
【０００５】
本発明は、堤防の裏側に設けた地下水位測定装置の測定結果が危険水位近づいたとき、堤防上に不透水性の堤防面保護部を固定し河川側の堤防部分の正常水位まで堤防面を覆い、当該堤防保護部は堤防面上に突出する部分と河川側の堤防面を覆う堤防面覆い部と堤防面覆い部の堤防面側に備え付けた吸水性ポリマーを入れた袋とからなり、堤防内部への水の浸透を防止すると同時に堤防の嵩上げを図る堤防の嵩上げ時期を予測し、危険水位に達する前に堤防の嵩上げをする堤防の決壊防止方法である。
河川の水位の上昇に伴い堤防裏面まで水が浸透し、河川の危険水位に近づき堤防裏面での水の浸透面が一定水位以上に到達すると堤防の決壊のおそれがあるため、水の浸透面が上記水位に上昇する前に河川側からの水の浸透を防止し、堤防の嵩上げをすると同時に、上記水位を平常状態の水位以下に下げることで堤防の決壊を防止する。
【発明の効果】
【０００６】
本発明は、堤防内部への水の浸透程度を測定し、危険水位に達する前に堤防面を覆って、増水した河川の水が堤防内部に浸透することを防止するため堤防の決壊が防止できる。
【図面の簡単な説明】
【０００７】
【図１】は、堤防保護部で堤防面を覆った堤防の概念図である。
【図２】は、堤防内の水位が危険水位に達した状態を示す概念図である。
【図３】は、堤防内の水位が平常時にある状態を示す概念図である。
【発明を実施するための形態】
【０００８】
以下、本発明を図によって、より詳細に説明する。
図１は、本発明の堤防保護部で堤防面を覆って堤防内部の水位を危険水位以下に下げた状態を示している。
図に示したように、堤防内部の水位を計測する水位計が堤防裏面に設けられ、堤防内の水位が水位観測所で監視される。堤防には、堤防の嵩上げ用の突部と堤防面を覆う堤防面覆い部とからなる不透水性の堤防保護部が設けられ、図３に示す平常水位まで覆っている。堤防面覆い部の堤防と接する面には吸水性のポリマーを入れた袋が設けられている。この吸水性ポリマーは吸水して膨張し、堤防面と堤防面覆い部との間を塞ぎ、水と堤防面覆い部で覆われた堤防面とを隔離できるようになっている。
【０００９】
図２は、河川が増水し、堤防決壊のおそれのある危険水位に達した状態を示している。危険状態に達したかどうかは上述した堤防の裏面に設けられた水位計で測定する堤防内部の水位の上昇により判断できる。
【００１０】
危険水位まで達した時点で、図１に示すように、堤防保護部を堤防に固定し、上述したように平常時の河川水位まで堤防面を覆う。こうすることで、平常水位の位置から危険水位までの堤防面から堤防内部への水の浸透を防止できることにより、水が堤防内部に浸入する高さは、平常時の水面と同じとなる。その結果、堤防裏面での測定水位は減少し、図３に示す、平常時の水位まで減少し、堤防決壊の危険性を無くすことができる。
【００１１】
堤防保護部は図1に示す通り、堤防上に突出させ、河川の増水が堤防を越えた場合でも、堤防から溢れ出ることを防止することもできる。
【００１２】
堤防保護部は、鉄板、ＦＲＰなど適宜選択が可能であるが、人力による設置の場合を考慮し軽量なＦＲＰ製などしておくことが好ましい。吸水性ポリマーは例えばアクリル系のポリマーが使用可能である。
【産業上の利用可能性】
【００１３】
本発明は、堤防の決壊場所あるいは決壊のおそれのある場所で、堤防の決壊あるいは堤防から溢れることを防止することができる。
【符号の説明】
【００１４】
１  堤防保護部
１１  堤防面覆い部
１２  突部
３  吸水性ポリマー
４  堤防
５  水位計
６  水位観測所
７  河川の危険水位
８  平常時の河川水位
【図１】
2010248827.tif 000003
【図２】
2010248827.tif 000004
【図３】
2010248827.tif 000005